(57)【要約】【課題】  洗濯物の乾燥時間を推測するシステムを提供する。【解決手段】  本発明は、洗濯物の水分量データ１０と洗濯物データ１８と環境データ１７から予め定められたアルゴリズムで洗濯物の乾燥時間を計算する乾燥時間データ作成装置１と、データの入出力を行うユーザーインターフェイス装置２を備えた洗濯物乾燥時間推測システムであって、前記乾燥時間データ作成装置１は、水分量データを受信するデータ受信手段１１と、水分量データ１０と洗濯物データ１８と環境データ１７から洗濯物の乾燥時間を計算する乾燥時間演算手段１２を備えたものであって、前記ユーザーインターフェイス装置２は、洗濯物データベース１５を備え、洗濯物データ１８と環境データ１７をユーザーに入力してもらうデータ入力手段１４と、乾燥時間を表示する乾燥時間表示手段１９と、ディスプレイ２０を備えることを特徴とするものである。【選択図】図１
2016049421.tif 000002
【特許請求の範囲】
【請求項１】
洗濯物の水分量データと洗濯物データと環境データから予め定められたアルゴリズムで洗濯物の乾燥時間を計算する乾燥時間データ作成装置と、データの入出力を行うユーザーインターフェイス装置を備えた洗濯物乾燥時間推測システムであって、前記乾燥時間データ作成装置は、水分量データを受信するデータ受信手段と、水分量データと洗濯物データと環境データから洗濯物の乾燥時間を計算する乾燥時間演算手段を備えたものであって、前記ユーザーインターフェイス装置は、洗濯物データベースを備え、洗濯物データと環境データをユーザーに入力してもらうデータ入力手段と、乾燥時間を表示する乾燥時間表示手段と、ディスプレイを備えることを特徴とする洗濯物乾燥時間推測システム。
【請求項２】
ユーザーが洗濯物の種類等を選択するだけで、洗濯物の乾燥時間の計算に必要な値を取り出せる前記洗濯物データベースを備えることを特徴とする請求項１に記載の洗濯物乾燥時間推測システム。
【請求項３】
ユーザーが家電の種類等を選択するだけで、洗濯物の乾燥時間の計算に必要な値を取り出せる風速データベースを備えることを特徴とする請求項１に記載の洗濯物乾燥時間推測システム。
【請求項４】
前記洗濯物データが、表面積データ、素材による乾燥係数データ、厚さによる乾燥係数データを指すことを特徴とする請求項１に記載の洗濯物乾燥時間推測システム。
【請求項５】
前記環境データが、温度データ、湿度データ、風速データを指すことを特徴とする請求項１に記載の洗濯物乾燥時間推測システム。
【請求項６】
前記データ入力手段が、タッチパネル操作が可能なディスプレイを備え、環境データと洗濯物データを数値で入力、または用意されている選択肢からユーザーに選択させることを特徴とする請求項１に記載の洗濯物乾燥時間推測システム。
【請求項７】
前記乾燥時間表示手段が、ディスプレイを備え、洗濯物の乾燥時間と乾燥時間に合わせたイラストを表示し、乾き具合をユーザーに通知すること特徴とする請求項１に記載の洗濯物乾燥時間推測システム。
【発明の詳細な説明】
【技術分野】
【０００１】  本発明は洗濯物の乾燥時間を推測するシステムである。なお洗濯物とは「濡れたもの」全般をあらわす語として定義する。
【背景技術】
【０００２】  洗濯などで濡れたものを乾かすことがあるが、いつ乾くかを推測することは、一般的に行われていない。本発明と似たものに後述特許文献に記載されているアイディアがある。
【先行技術文献】
【特許文献】
【０００３】
【特許文献１】  特開平０６−３４７４２８号  公報
【非特許文献】
【０００４】
【非特許文献１】  中西茂子著、「洗剤と洗浄の科学」、コロナ社、１９９５年１０月５日発行、ｐ．１１９
【発明の概要】
【発明が解決しようとする課題】
【０００５】  先述特許文献は、温度センサーと湿度センサーを使って、洗濯物の乾燥時間を推測していた。しかし正確な洗濯物の乾燥時間の推測には、洗濯物の表面積のデータが必要であることが家政学の本（非特許文献１）から分かっている。また表面積のデータは一目で簡単には入力できない。以上のことから洗濯物の予想乾燥時間を得るために、推測の精度と利便性の面で、一般消費者が利用出来る水準には無いことが課題である。【０００６】  上述の通り本発明の目的は、洗濯物の乾燥時間の推測精度を高めると同時に使いやすさを実現することである。洗濯物の乾燥時間の推測精度を高めるには、洗濯物の表面積のデータ等を使用する。利便性を向上させるためには、表面積のデータ等の入力方法として、人間が直感的に容易に理解できる選択操作にて行えるようにする。
【課題を解決するための手段】
【０００７】  本発明は、洗濯物の水分量データと洗濯物データと環境データから予め定められたアルゴリズムで洗濯物の乾燥時間を計算する乾燥時間データ作成装置と、データの入出力を行うユーザーインターフェイス装置を備えた洗濯物乾燥時間推測システムであって、前記乾燥時間データ作成装置は、水分量データを受信するデータ受信手段と、水分量データと洗濯物データと環境データから洗濯物の乾燥時間を計算する乾燥時間演算手段を備えたものであって、前記ユーザーインターフェイス装置は、洗濯物データベースを備え、洗濯物データと環境データをユーザーに入力してもらうデータ入力手段と、乾燥時間を表示する乾燥時間表示手段と、ディスプレイを備えることを特徴とするものである。【０００８】  本発明は、ユーザーが洗濯物の種類等を選択するだけで、洗濯物の乾燥時間の計算に必要な値を取り出せる前記洗濯物データベースを備えることを特徴とするものである。【０００９】  本発明は、ユーザーが家電の種類等を選択するだけで、洗濯物の乾燥時間の計算に必要な値を取り出せる風速データベースを備えることを特徴とするものである。【００１０】  本発明の前記洗濯物データは、表面積データ、素材による乾燥係数データ、厚さによる乾燥係数データを指すことを特徴とするものである。【００１１】  本発明の前記環境データは、温度データ、湿度データ、風速データを指すことを特徴とするものである。【００１２】  本発明の前記データ入力手段は、タッチパネル操作が可能なディスプレイから、環境データと洗濯物データを数値で入力、または用意されている選択肢からユーザーに選択させることを特徴とするものである。【００１３】  本発明の前記乾燥時間表示手段は、ディスプレイに洗濯物の乾燥時間と乾燥時間に合わせたイラストを表示し、乾き具合をユーザーに通知すること特徴とするものである。
【発明の効果】
【００１４】  一般消費者（例えば主婦）が、洗濯物の予想乾燥時間を得る事ができ、それにより、利用したい時刻までに乾燥させるためにエアコンを使うべきか判断できたり、エアコンのタイマー時間を指定する事が可能となり、省エネルギー効果や家事の効率化が図れる。また、これらにより、家事をする主婦の精神的負担を軽減する効果もあると信じる。
【図面の簡単な説明】
【００１５】
【図１】本発明のシステムの実施形態を示す説明図である。
【図２】データ入力手段で環境データの作成工程を示す工程図である。
【図３】本発明のシステムの環境データの構成図である。
【図４】データ入力手段で洗濯物データの作成工程を示す工程図である。
【図５】本発明のシステムの洗濯物データの構成図である。
【図６】乾燥時間演算手段で乾燥時間データの作成工程を示す工程図である
【発明を実施するための形態】
【００１６】  以下、本発明の実施の形態を図１に基づいて説明する。
【００１７】  図１においては、１は乾燥時間データ１３を作成する乾燥時間データ作成装置である。１はデータ受信手段１１と乾燥時間演算手段１２を備えており、１２で乾燥時間データ１３を作成する。２はデータの入出力を行うユーザーインターフェイス装置である。データ入力手段１４を備え、１４で環境データ１７と洗濯物データ１８を作成する。このデータの作成には洗濯物データベース１５と風速データベース１６にアクセスして読み取った結果も用いられる。また乾燥時間データ１３を、乾燥時間表示手段１９を用いてディスプレイ２０に表示する手段を備える。
【００１８】  図１の環境データ１７は、同図のテータ入力手段１４により、図２のように生成される。また環境データ１７は、図３で示す温度データ１０１、湿度データ１０２、風速データ１０３を内包したものである。
【００１９】  図２の「家電の種類」で選べる選択肢とは例えば、家電なし、エアコン、扇風機である。
これは一例であって、様々な家電が対象である。
【００２０】  表１は、図１の風速データベース１６の一例である。
【表１】
2016049421.tif 000003
【００２１】  図１の洗濯物データ１８は、同図のデータ入力手段１４により、図４のように生成される。また洗濯物データ１８は、図５で示す表面積データ１０４、素材による乾燥係数データ１０５、厚さによる乾燥係数データ１０６を内包したものである。
【００２２】  図４の「洗濯物の種類」で選べる選択肢とは例えば、肌着、下着、ワイシャツ、Ｔシャツ、インナー、ワンピース、トレーナー、スラックス、デニムパンツ（短）、デニムパンツ（長）、スカート、タオル（小）、タオル（中）、タオル（大）、シーツ、ふとんカバーである。これは一例であって、様々な濡れたものが対象である。
【００２３】  図４の「洗濯物の素材」で選べる選択肢とは例えば、綿、麻、ウール、レーヨン、ナイロン、ポリエステルである。これは一例であって、様々な素材が対象である。
【００２４】  図４の「洗濯物の厚さ」で選べる選択肢とは例えば、厚い、ふつう、薄いである。これは一例であって、様々な厚さが対象である。
【００２５】  表２は、図１の洗濯物データベース１５の一例である。
【表２】
2016049421.tif 000004
【００２６】  図１の乾燥時間演算手段１２は、同図の水分量データ１０と環境データ１７と洗濯物データ１８を入力値とし、図６の手順にて、乾燥時間データ１３を生成する。
【００２７】  数１は、洗濯物の乾燥時間を推定する数式である。
【数１】
2016049421.tif 000005
【００２８】  表３は、数１のパラメータの一覧と一例を示す表である。
【表３】
2016049421.tif 000006
【００２９】  表４は、数１の温度に依存するパラメータと温度との対応を示す表である。
【表４】
2016049421.tif 000007
【００３０】  図１の乾燥時間データ１３は、同図のユーザーインターフェイス装置２の乾燥時間表示手段１９により通知される。通知方法の例として、図１のディスプレイ２０に「あと３時間２９分で乾きます」というメッセージと、洗濯物が濡れているイラストを表示する。
【００３１】  以上のように、本実施形態によれば、使いやすさを備え、洗濯物の乾燥時間が正確に推測できる。
【実施例】
【００３２】  以下、本発明の実施例を説明する。日常的な環境の例として、室内干しを行った。季節は夏で、温度は２４度、湿度７０％である。物干し竿に、綿素材で厚さが普通のタオル（大きさは中）を干し、扇風機を利用した。この時、洗濯物の水分量をセンサーで計測すると１５０［ｇ／Ｓ］（単位面積あたりの水分含有量）であった。以上の水分量、温度、湿度、洗濯物の素材・厚さ・種類、家電の種類の値を利用したときの乾燥時間を計算してみる。【００３３】  数１に従って予想乾燥時間を計算する。数１のｓが求めたい予想乾燥時間である。数１の各パラメータについては表３の通りである。上述の環境下での数１の各パラメータの値は、表３の「値の例」に記した。計算方法は実施の形態で説明した通りである。この値を用いて数１を解くと、ｓ＝（２４４２×１１５）／（９２．５７６×０．５６）＝５３６９となる。よって予想乾燥時間は５３６９秒（１時間２９分）と求まる。【００３４】  同じ環境下で実測した結果、１時間８分で乾いた。予想乾燥時間と比較すると、おおよそ一致していた。【００３５】  本発明は図１の実施形態に限定されるものではない。たとえば、風速データベースはなくてもよい。
【符号の説明】    １  乾燥時間データ作成装置
２  ユーザーインターフェイス装置
１１  データ受信手段
１２  乾燥時間演算装置
１３  乾燥時間データ
１４  データ入力手段
１５  洗濯物データベース
１６  風速データベース
１７  環境データ
１８  洗濯物データ
１９  乾燥時間表示手段
２０  ディスプレイ
１０１  温度データ
１０２  湿度データ
１０３  風速データ
１０４  表面積データ
１０５  素材による乾燥係数データ
１０６  厚さによる乾燥係数データ
【図１】
2016049421.tif 000008
【図２】
2016049421.tif 000009
【図３】
2016049421.tif 000010
【図４】
2016049421.tif 000011
【図５】
2016049421.tif 000012
【図６】
2016049421.tif 000013